(57)【要約】【課題】  治具４０上にフェルール２０を固定し、送り部材４６を前進させてファイバ穴２８に光ファイバ１２を挿入する場合がある。このとき、光ファイバがファイバ穴に入り損ねて、フェルール内面に当たり、端面を傷付けることがあった。【解決手段】 基台４２を、フェルール固定部４２０とファイバスライド部４２２とに分割しておく。送り部材４６が前進して、光ファイバ１２の先端部がガイド溝２６の上方にさしかかったとき、ファイバスライド部４２２を後ろ上がりに傾斜させる。すると、光ファイバ１２の先端がガイド溝２６内に入り込み、その後は無理なくファイバ穴２８内に導き入れられる。そのため、光ファイバ端面の傷付きは防止され、特に無研磨組立に際して有効である。【選択図】  図１
2005115397.tif 000002
【特許請求の範囲】
【請求項１】
ファイバ穴と当該ファイバ穴に光ファイバを誘導するためのガイド溝を有するフェルールが、治具の基台上に固定してあり、前記基台上において、テープ心線を把持する送り部材が、前記フェルールに向かって前進して、前記ファイバ穴に光ファイバを挿入する工程において、
前記基台がフェルール固定部とファイバスライド部とに分割してあって、前記送り部材が前進して、光ファイバの先端部が前記ガイド溝の上方にさしかかったとき、前記ファイバスライド部を後ろ上がりに傾斜させ、そのために光ファイバの先端が前記ガイド溝内に納まり、その後さらに前記送り部材を前進させて、光ファイバ先端を前記フェルール固定部に設けられている位置決めブロックに突き当てることを特徴とする、光コネクタの組立方法。
【請求項２】
フェルールへ光ファイバを誘導し、当該フェルール前面のファイバ穴へ光ファイバを挿入する光コネクタの組立治具であって、
前記組立治具は、フェルールを固定するフェルール固定部と、光ファイバをスライド可能に載置するファイバスライド部とに分割され、前記フェルール固定部と前記ファイバスライド部とは、回動可能に連結されており、前記フェルール固定部には、前記フェルールに挿入された光ファイバが突き当てられる位置決めブロックが設けられていることを特徴とする、光コネクタの組立治具。
【請求項３】
前記フェルールが多心用のものであることを特徴とする請求項２記載の光コネクタの組立治具。
【発明の詳細な説明】
【技術分野】
【０００１】
本発明は、この発明は、多心光コネクタ、特に、主としてＭＴコネクタの組立方法と組立に用いる治具に関するものである。
【背景技術】
【０００２】
多心光ファイバを接続する光コネクタの一つとして樹脂成形された角型のＭＴコネクタがあり、実用化されている。
［従来のＭＴコネクタ用フェルール］
一例を、図２に示した。フェルール２０の本体２２内に、その後面２２０から前方に向かって心線挿入穴２４を設け、その前方に、ファイバ穴２８を、一つにつながった状態に設けている。また心線挿入穴２４の底に、前記ファイバ穴２８に光ファイバ１２を誘導するためのガイド溝２６を設けている。なお、３０はガイドピン穴、３２は窓である。
【０００３】
［無研磨組立工法］
ところで、ＭＴコネクタの問題点の一つである組立時間の短縮を目的とした無研磨組立方式、すなわち、光ファイバをカッティングした後に光ファイバ端面を研磨し、さらに研磨されたフェルール端面に光ファイバ端面が揃う位置で光ファイバを固定して、研磨工程を要らなくする方式が提案されている。
【０００４】
［従来の無研磨組立工法］
図３の４０は、組立のための治具で、基台４２と位置決めブロック４４とからなる。基台４２は、細長い四角厚板状のものである。位置決めブロック４４は、フェルール側の面が研磨された四角駒状のもので、基台４２の先端部に固定してある。基台４２上には、送り部材４６が、レール４８にガイドされて、フェルール２０に対して前進後退できるようになっている。
【０００５】
（１）フェルール２０を、その前端面が位置決めブロック４４に密着するようにして、基台４２上に固定する。送り部材４６に１０を把持させる（図３（ａ））。
（２）送り部材４６を前進させ、光ファイバ１２をフェルール２０内に送り込む（図３（ｂ））。
（３）光ファイバ１２が、ファイバ穴２８内に挿入され、その先端が位置決めブロック４４に突き当たったとき停止し（図３（ｃ））、フェルール２０内に固定する。
【発明の開示】
【発明が解決しようとする課題】
【０００６】
一般に、治具を使わないでコネクタを組み立てる場合は、先ず光ファイバ１２の先端を下側に傾けてガイド溝２６内に納め、それからガイド溝２６に沿うようにして押し込んでファイバ穴２８内に誘導されるようにする。しかし、上記のように治具４０を使う場合、光ファイバ１２は、その長さ方向にしか移動しない。そのため、光ファイバ１２は、いったんガイド溝２６の中には入ることをしないで、ファイバ穴２８めがけて直進することになる。しかしファイバ穴２８は光ファイバ径よりも僅かに大径の穴であるため、ファイバ穴２８に入り損ねてフェルール内面に当たり、光ファイバが折損したり端面が傷付けられることがあった。
【課題を解決するための手段】
【０００７】
本発明では、ファイバ穴と当該ファイバ穴に光ファイバを誘導するためのガイド溝を有するフェルールが、治具の基台上に固定してあり、前記基台上において、テープ心線を把持する送り部材が、前記フェルールに向かって前進して、前記ファイバ穴に光ファイバを挿入する工程において、前記基台がフェルール固定部とファイバスライド部とに分割してあって、前記送り部材が前進して、光ファイバの先端部が前記ガイド溝の上方にさしかかったとき、前記ファイバスライド部を後ろ上がりに傾斜させ、そのために光ファイバの先端が前記ガイド溝内に納まり、その後さらに前記送り部材を前進させて、光ファイバ先端を前記フェルール固定部に設けられている位置決めブロックに突き当てることを特徴とする、光コネクタの組立方法を提供する。
また、本発明では、フェルールへ光ファイバを誘導し、当該フェルール前面のファイバ穴へ光ファイバを挿入する光コネクタの組立治具であって、前記組立治具は、フェルールを固定するフェルール固定部と、光ファイバをスライド可能に載置するファイバスライド部とに分割され、前記フェルール固定部と前記ファイバスライド部とは、回動可能に連結されており、前記フェルール固定部には、前記フェルールに挿入された光ファイバが突き当てられる位置決めブロックが設けられていることを特徴とする、光コネクタの組立治具を提供する。
また、本発明では、前記フェルールが多心用のものであることを特徴とする請求項２記載の光コネクタの組立治具を提供する。
【発明の効果】
【０００８】
（ａ）治具上でのフェルールへの光ファイバ挿入が可能になる。
（ｂ）無研磨組立に際して、光ファイバ端面の傷付けを防止できる。
続を実現できる。
【発明を実施するための最良の形態】
【０００９】
［治具４０の構造］
たとえば図１（ａ）のように、治具４０の基台４２を、フェルール固定部４２０とファイバスライド部４２２とに分割し、両者の間をヒンジ４２４で連結して、ファイバスライド部４２２の後部を持ち上げ可能にしておく。なお、フェルール固定部４２０は、位置決めブロック４４を有し、フェルール２０が固定される部分である。またファイバスライド部４２２は、上面にレール４８を有し、その上を送り部材４６が前進後退できる部分である。
【００１０】
［組立］
（１）従来同様に、フェルール２０を、その前端面が位置決めブロック４４に密着するようにして、フェルール固定部４２０上に固定する。送り部材４６に１０を把持させる（図１（ａ））。
（２）送り部材４６を前進させ、光ファイバ１２をフェルール２０内に送り込む（図１（ｂ））。
【００１１】
（３）３光ファイバ１２の先端部が、ガイド溝２６の上方にさしかかったとき、ファイバスライド部４２２の後部を持ち上げ、ヒンジ４２４を軸としてファイバスライド部４２２を少し回動させる。すると、ファイバスライド部４２２は前下がりに傾斜し（図１（ｃ））、光ファイバ１２の先端はガイド溝２６内に入り込む。なおこのとき、窓３２を通して上方から顕微鏡で観察していて、ガイド溝２６から外れた光ファイバ１２があれば、入れてやる。
【００１２】
（４）その後引き続き送り部材４６を前進させ、光ファイバ１２を送り込む。光ファイバ１２はガイド溝２６に誘導されて、ファイバ穴２８内に、無理なく入り込む（図１（ｄ））。
（５）そうなったら、ファイバスライド部４２２を、元の水平状態に戻し（図１（ｅ））、光ファイバ１２をさらに進めて、先端が位置決めブロック４４に突き当たったら停止し、固定する。
【００１３】
なお、以上は、無研磨組立の場合について説明したが、本発明は、研磨を行う組立においても利用でき、その場合も作業性向上に寄与する。また、多心だけでなく、単心へも利用可能であることは言うまでもない。
【図面の簡単な説明】
【００１４】
【図１】本発明の組立治具と組立方法の実施形態を示す説明図。
【図２】従来のフェルールの一部切断斜視図。
【図３】従来技術に関する組立治具と組立方法を説明図。
【符号の説明】
【００１５】
１０ テープ心線
１２ 光ファイバ
２０ フェルール
２２ フェルール本体
２２０ 後面
２２２ 前面
２４ 心線挿入穴
２６ ガイド溝
２８ ファイバ穴
３０ ガイドピン穴
３２ 窓
４０ 治具
４２ 基台
４２０ フェルール固定部
４２２ ファイバスライド部
４２４ ヒンジ
４４ 位置決めブロック
４６ 送り部材
４８ レール
【図１】
2005115397.tif 000003
【図２】
2005115397.tif 000004
【図３】
2005115397.tif 000005